(57)【要約】【課題】  伝送線に接続されている各端末機器において、バルブ等が接続されている２次側の断線、短絡を監視するために、状態サンプリングを行なう場合、または、伝送線に接続されている各端末機器の起動、復旧に使われているリレーを制御する場合、消費電流が一時的に増加することを阻止することができ、伝送波形を崩す可能性が少ない消火システム制御盤を提供することを目的とするものである。【解決手段】  伝送線に接続される端末機器の断線、短絡監視を行なうときの状態サンプリング処理、または上記端末機器の起動／復旧に使われているリレーに対する制御処理を、タイミング的に分散する消火システム制御盤である。【選択図】  図１
2006285678.tif 000002
【特許請求の範囲】
【請求項１】
伝送線に接続されている端末機器の断線または短絡を監視する消火システム制御盤において、
上記端末機器を所定のグループに編成し、
上記端末機器の断線または短絡を監視する場合における状態のサンプリング処理のタイミングを、上記端末機器のグループ毎にずらすことによって分散することを特徴とする消火システム制御盤。
【請求項２】
伝送線に接続されている端末機器の断線または短絡を監視する消火システム制御盤において、
上記端末機器の起動／復旧に使われているリレーを所定のグループに編成し、
上記リレーを制御処理するタイミングを、上記リレーのグループ毎にずらすことによって分散することを特徴とする消火システム制御盤。
【請求項３】
請求項１または請求項２において、
上記端末機器は、バルブ用中継器、端末機器用中継器、盤内入出力基板のうちの少なくとも１つであることを特徴とする消火システム制御盤。
【発明の詳細な説明】
【技術分野】
【０００１】
本発明は、伝送線に接続される端末機器と接続機器とを接続する配線の断線、短絡を監視する消火システム制御盤に関する。
【背景技術】
【０００２】
伝送線に接続されている端末機器、たとえばバルブ用中継器において、２次側（接続機器としてのバルブが接続される側）の配線の断線、短絡を監視するために、消火システム制御盤は、伝送線を介して、端末機器の状態サンプリングを常時、行う。
【０００３】
また、伝送線に接続されている端末機器から接続機器をＯＮ／ＯＦＦ制御するために、リレー部品が使用されている。このリレーの制御は、伝送線の電源を使用している。
【０００４】
ＮＳ監視盤（消火システム制御盤）は、ＮＳ中継器と伝送線とによって接続され、複数のＮＳバルブの断線や短絡を監視するとともに、ＮＳバルブの２次圧低下や開放等を制御する（たとえば、特許文献１参照）。
【特許文献１】特開平７−０５９８７６号公報
【発明の開示】
【発明が解決しようとする課題】
【０００５】
伝送線に接続されている端末機器、たとえばバルブ用中継器において、２次側への配線の断線、短絡を監視するために、状態サンプリングする場合、そのバルブ中継器において、状態サンプリングすると、消費電流が増加する。
【０００６】
特に、従来例において、各端末機器が状態サンプリングを行うタイミングによっては、全ての端末機器が一斉にサンプリングする可能性があり、このように、端末機器のサンプリングが時間的に多数重なると、消費電流が増加し、伝送線上の伝送波形を崩すという問題がある。
【０００７】
また、従来例において、リレーを複数制御する場合に、起動バルブ全復帰のように、リレー制御のタイミングが重なると、伝送電源から流れる電流であって、端末機器において消費される電流が増加し、大きな消費電流が、一時的に発生し、伝送波形を崩すことがあるという問題がある。
【０００８】
本発明は、伝送線に接続されている各端末機器において、バルブ等が接続されている２次側への配線の断線、短絡を監視するために、状態サンプリングを行う場合、消費電流が一時的に増加することを阻止することができ、伝送波形を崩す可能性が少ない消火システム制御盤を提供することを目的とするものである。
【０００９】
また、本発明は、伝送線に接続されている各端末機器が接続機器の起動、復旧に使われているリレーを制御する場合、消費電流が一時的に増加することを阻止することができ、伝送波形を崩す可能性が少ない消火システム制御盤を提供することを目的とするものである。
【課題を解決するための手段】
【００１０】
本発明は、伝送線に接続される端末機器の断線、短絡監視を行うときの状態サンプリング処理、または上記端末機器の起動／復旧に使われているリレーに対する制御処理を、タイミング的に分散する消火システム制御盤である。
【発明の効果】
【００１１】
本発明によれば、端末機器の処理を分散し、処理のタイミングを、グループ毎にずらすので、伝送線に接続されている各端末機器において、バルブの接続機器が接続されている２次側への配線の断線、短絡を監視するために、状態サンプリングする場合、または上記端末機器の接続機器としてのバルブの起動、復旧に使われているリレーを制御する場合、消費電流が一時的に増加することを阻止することができ、伝送波形を崩す可能性が少ないという効果を奏する。
【発明を実施するための最良の形態】
【００１２】
発明を実施するための最良の形態は、以下の実施例である。
【実施例１】
【００１３】
図１は、本発明の実施例１である消火システム制御盤１０が使用されている消火システム１００を示す図である。
【００１４】
ここで、流水検知装置Ｂ１とテストバルブＢ２とは、一体的にユニット化されて設置され、流水検知装置Ｂ１が設けられている配管を止水するために、流水検知装置Ｂ１の１次側に、制御バルブＢ４が配置されている。
【００１５】
この消火システム１００の通常の消火動作を簡単に説明すると、火災の発生時に、まず火災感知器ＳＥ１が作動し、中継器Ｃ１を介して、火災受信機ＲＥに火災信号を送信し、火災信号を受けた火災受信機ＲＥは、消火システム制御盤１０にその信号を移報し、移報を受けた消火システム制御盤１０は、中継器Ｃ３を介して、流水検知装置Ｂ１に開弁信号を送信する。この開弁信号によって流水検知装置Ｂ１が開弁状態になり、閉鎖型スプリンクラヘッドＳＨ１が、火災の熱によって開放することによって、消火水の継続的放水が行われる。このように、消火システム１００は、火災感知器ＳＥ１の作動と閉鎖型スプリンクラヘッドＳＨ１の作動とによって消火活動が可能な予作動式のシステムである。
【００１６】
消火システム１００は、防災センタＣＴ１と、火災受信機と接続する中継器Ｃ１、Ｃ２と、消火システム制御盤１０と接続する中継器Ｃ３、Ｃ４と、火災感知器ＳＥ１、ＳＥ２、……、ＳＥｎと、加圧送水装置２０と、流水検知装置（スプリンクラバルブ）Ｂ１と、テストバルブＢ２と、閉鎖型スプリンクラヘッドＳＨ１と、感熱開放継手ＣＮ１と、開放型スプリンクラヘッドＳＨ２と、補助放水栓ＳＣ１とを有する。
【００１７】
防災センタＣＴ１は、消火システム制御盤１０と、火災受信機ＲＥとを有する。
【００１８】
消火システム制御盤１０は、伝送線Ｌ１に接続されている端末機器である中継器Ｃ３、Ｃ４から流水検知装置Ｂ１、制御バルブＢ３等への配線Ｌ２の断線または短絡を監視する消火システム制御盤であり、上記端末機器から接続機器への配線の断線または短絡を監視する場合における状態のサンプリング処理のタイミングを分散する消火システム制御盤である。
【００１９】
また、消火システム制御盤１０は、伝送線Ｌ１に接続されている端末機器である中継器Ｃ３、Ｃ４から流水検知装置Ｂ１、制御バルブＢ３等への配線Ｌ２の断線または短絡を監視する消火システム制御盤において、上記端末機器から接続機器の起動／復旧に使われているリレーを制御処理するタイミングを分散する消火システム制御盤である。
【００２０】
なお、上記端末機器は、流水検知装置（スプリンクラバルブ）Ｂ１とテストバルブＢ２とを接続する中継器Ｃ３と、制御バルブＢ３を接続する中継器Ｃ４とであり、また、バルブ用中継器、端末機器用中継器、盤内入出力基板のうちの少なくとも１つである。また、伝送線Ｌ１には、アドレスによって個々に特定される端末機器が、中継器Ｃ３、Ｃ４以外に多数接続されている。
【００２１】
加圧送水装置２０は、起動用水圧開閉装置２１と、ポンプ制御盤２２と、加圧送水装置（ポンプ）Ｐ１と、制御バルブＢ３とを有する。
【００２２】
ここで、この消火システム１００の通常の消火動作を簡単に説明すると、火災の発生時に、まず火災感知器ＳＥ１〜ＳＥｎが作動し、中継器Ｃ１を介して、火災受信機ＲＥに火災信号を送信し、火災信号を受けた火災受信機ＲＥは、消火システム制御盤１０にその信号を移報し、移報を受けた消火システム制御盤１０は、中継器Ｃ３を介して、流水検知装置Ｂ１に開弁信号を送信する。この開弁信号によって、流水検知装置Ｂ１が開弁状態になり、閉鎖型スプリンクラヘッドＳＨ１が火災の熱によって開放すると、消火水の継続的放水が行われる。このように、消火システム１００は、火災感知器ＳＥ１の作動と閉鎖型スプリンクラヘッドＳＨ１の作動とによって消火活動が可能な予作動式のシステムである。
【００２３】
次に、実施例１の動作について、説明する。
【００２４】
図１では、消火システム１００を簡略的に説明するために、２つ端末機器である中継器Ｃ３、Ｃ４だけを記載してあるが、図２は、実施例１の動作説明図であり、消火システム１００に設けられている全体の端末機器を、６個の大グループに分けて、サンプリングのタイミングを互いに異ならせた場合の例を示す図である。
【００２５】
まず、消火システム１００に設けられている全体の端末機器の数をｎとすると、このｎ個の端末機器を、各端末機器のアドレスに基づいて、６つの大グループに分ける。
【００２６】
すなわち、端末機器のアドレスをＡＤとすると、各端末機器のアドレスＡＤを６で割った余りを用いて、６個の大グループに分ける。具体的には、端末機器のアドレスＡＤを６で割った余りが、０、１、２、３、４、５であるとすると、それぞれ、グループＧ０、Ｇ１、Ｇ２、Ｇ３、Ｇ４、Ｇ５に属するとし、端末機器を６つに分類する。
【００２７】
そして、上記６個の大グループにそれぞれ属する端末機器におけるサンプリングのタイミングを、互いに異ならせる。
【００２８】
つまり、図２（２）に示すように、消火システム制御盤１０は、伝送線L１を介して、各端末機器の状態サンプリング処理をするときに、データ送信のタイミングを６種類に分け、大グループＧ０に属する端末機器におけるサンプリングのタイミングと、大グループＧ２に属する端末機器におけるサンプリングのタイミングと、大グループＧ４に属する端末機器におけるサンプリングのタイミングとは、互いに異なる。図２（２）では、大グループＧ０、Ｇ２、Ｇ４についてのみ、例示的に示してあるが、大グループＧ０、Ｇ１、Ｇ２、Ｇ３、Ｇ４、Ｇ５のそれぞれがサンプリングするタイミングは、互いに異なる。
【００２９】
ここで、データ受信のタイミングについて、データ受信は、この消火システム１００において消火システム制御盤１０が伝送線Ｌ１を介して全ての端末機器に投げかける状態変化確認のためのポーリング信号の受信であり、このポーリング信号は、定期的に発信され、このときに、断線発生等の状態変化がある端末機器は、応答信号を返送し、消火システム制御盤１０に状態変化があったことを通知する。そして、各端末機器は、自分の属する大グループがサンプリングすべきタイミングであるポーリング信号の受信時に、サンプリング処理を行う。
【００３０】
上記のように、各端末機器におけるサンプリング処理を、６回に１回とするので、すなわち、サンプリング処理のタイミングを６回に分散するので、これによって、所定のタイミングにおける消費電流の量を抑えることができ、伝送波形を崩すおそれがない。
【００３１】
また、リレーを制御する場合、消火システム１００に設けられている全てのリレーの数をｎとし、このｎ個を６個の大グループＧ０、Ｇ１、Ｇ２、Ｇ３、Ｇ４、Ｇ５に分け、また、１つの大グループを、３個の小グループに分ける。すなわち、小グループの数は、６×３＝１８であるので、１８個であり、つまり、ｎ個のリレーが、１８個の小グループに分けられ、この１８個の小グループが、互いに異なるタイミングでＯＮ／ＯＦＦ制御される。そのためには、各大グループの中を３個の小グループに分割するとともに、各小グループが大グループの該当するデータ受信を基準として、３つのタイミングに分かれて、サンプリング処理を行う。
【００３２】
これによって、ｎ個のリレーが、１８のタイミングに分散されて、ＯＮ／ＯＦＦ制御される。
【００３３】
図３は、実施例１において起動時の全リレーを制御する説明図である。
【００３４】
起動時、すなわち電源投入時に全リレーを制御するのは、ラッチリレーを使用しているので、起動前にリレーがＯＮであることがあり、したがって、電源投入時には、全リレーを一旦復帰させるためである。この場合、大グループ化することによって１６分割し、また、小グループ化することによって４分割して、全リレーを制御する。
【００３５】
また、４分割する根拠は、盤内出力基板が、１枚について４つのアドレスを持ち、１アドレスについて、４つのリレーが割り振られているので、１アドレスづつ制御することによって、１６個全部のリレーを、４個ずつ分散制御するために、４分割し、所定の順番でリレーを復帰制御する。
【００３６】
伝送線に接続可能な最大アドレス数を、たとえば２５５アドレスとし、１つの大グループには１６アドレス分の端末機器が割り付けられるとする。つまり、１つ目の大グループＧ１に属する端末機器のアドレスは、ＡＤ０１〜ＡＤ１６であり、２つ目の大グループＧ２に属する端末機器のアドレスは、ＡＤ１７〜ＡＤ３２であり、……、１６個目の大グループＧ１６に属する端末機器のアドレスは、ＡＤ２４１〜ＡＤ２５５である。
【００３７】
さらに、各大グループに属する１６個の端末機器を、各端末機器のアドレスに基づいて、４つの小グループに分ける。すなわち、各端末機器のアドレスＡＤを４で割った余りが１、２、３、０であるときに、それぞれ、グループｇ１、ｇ２、ｇ３、ｇ４に属するとし、さらに４つに分類する。このようにして、たとえば大グループＧ１の小グループｇ１には、ＡＤ０１、０５、０９、１３が含まれ、小グループｇ２には、ＡＤ０２、０６、１０、１４が含まれる。
【００３８】
次に、全リレーを制御する場合について説明する。
【００３９】
制御順序０１番目に行う制御は、大グループＧ１に属し、そのうちの小グループｇ１に属しているリレーを同時に行う制御である。
【００４０】
制御順序０２番目に行う制御は、大グループＧ１に属し、そのうちの小グループｇ２に属しているリレーを同時に行う制御である。
【００４１】
制御順序０３番目に行う制御は、大グループＧ１に属し、そのうちの小グループｇ３に属しているリレーを同時に行う制御である。
【００４２】
制御順序０４番目に行う制御は、大グループＧ２に属し、そのうちの小グループｇ４に属しているリレーを同時に行う制御である。
【００４３】
制御順序０５番目に行う制御は、大グループＧ２に属し、そのうちの小グループｇ１に属しているリレーを同時に行う制御である。
【００４４】
制御順序０６番目に行う制御は、大グループＧ２に属し、そのうちの小グループｇ２に属しているリレーを同時に行う制御である。
【００４５】
………制御順序６３番目に行う制御は、大グループＧ１６に属し、そのうちの小グループｇ３に属しているリレーを同時に行う制御である。
【００４６】
制御順序６４番目に行う制御は、大グループＧ１６に属し、そのうちの小グループｇ４に属しているリレーを同時に行う制御である。
【００４７】
図４は、実施例１において全リレーを制御する大グループを示すタイミングチャートである。
【００４８】
次に、復旧時のリレー制御について説明する。
【００４９】
図５は、実施例１における復旧時のリレー制御の説明図である。
【００５０】
リレー復旧制御は、起動状態であるリレーだけを復旧制御すれば足りるので、大グループによって細分化する必要がなく、小グループにのみ、分ければ足りる。この場合、大グループに分割する時間分、制御時間を短縮することができる。復旧時の端末機器制御は、以下のように、アドレス毎に４分割し、大グループには係わらず所定の順序で制御する。
【００５１】
制御順序１番目に行う復旧制御は、小グループｇ１に属しているリレーを同時に行う復旧制御である。
【００５２】
制御順序２番目に行う復旧制御は、小グループｇ２に属しているリレーを同時に行う復旧制御である。
【００５３】
制御順序３番目に行う復旧制御は、小グループｇ３に属しているリレーを同時に行う復旧制御である。
【００５４】
制御順序４番目に行う復旧制御は、小グループｇ４に属しているリレーを同時に行う復旧制御である。
【００５５】
上記のようにすることによって、端末機器の状態サンプリング、または起動、復旧に使われているリレーの制御をグループ毎にずらし、処理のタイミングを分散することができ、瞬間的に多く流れる電流を抑え、伝送波形を崩す可能性がなくなる。
【図面の簡単な説明】
【００５６】
【図１】本発明の実施例１である消火システム制御盤１０が使用されている消火システム１００を示す図である。
【図２】実施例１の動作説明図であり、消火システム１００に設けられている全体の端末機器を、６個の大グループに分けて、サンプリングのタイミングを互いに異ならせた場合の例を示す図である。
【図３】実施例１において全リレーを制御する説明図である。
【図４】実施例１において全リレーを制御するタイミングチャートである。
【図５】実施例１における復旧時のリレー制御の説明図である。
【符号の説明】
【００５７】
１００…消火システム、
ＣＴ１…防災センタ、
１０…消火システム制御盤、
ＲＥ…火災受信機、
ＳＷ１〜ＳＥｎ…火災感知器、
Ｃ１〜Ｃ４…中継器。
【図１】
2006285678.tif 000003
【図２】
2006285678.tif 000004
【図３】
2006285678.tif 000005
【図４】
2006285678.tif 000006
【図５】
2006285678.tif 000007